(57)【要約】隣接セル内の基地局の信号強度を測定する際に、使用するために特定のオフセットが適用されるかどうかに関して、移動局へ示す。さらに、本発明は、隣接セルがオフセットを用いる場合に、本発明は隣接セルのオフセットが現在のサービング・セルのオフセットと同一であるかどうかに関して示してもよい。
2010531092.tif 000002
【特許請求の範囲】
【請求項１】
無線通信ネットワークにおけるモビリティを管理する方法であって、
サービング・セルにおいて、隣接セル内の隣接基地局（２０）が信号強度測定オフセットを送信するかどうかを判定する工程と、
前記隣接セルが信号強度測定オフセットを送信するかどうかを示すために、前記サービング・セルからユーザ機器（６０）へ第１のインジケータを送信する工程と、
を含むことを特徴とする方法。
【請求項２】
前記第１のインジケータは、前記隣接セルが信号強度測定オフセットを報知しないことを示すことを特徴とする請求項１に記載の方法。
【請求項３】
前記ユーザ機器（６０）へ前記第１のインジケータを送信する工程は、固定部分（５２）と動的部分（５８）とを有するシステム情報メッセージ（５０）において前記第１のインジケータを報知する工程を含むことを特徴とする請求項１に記載の方法。
【請求項４】
前記システム情報メッセージ（５０）の前記固定部分（５２）に前記第１のインジケータを含める工程をさらに含むことを特徴とする請求項３に記載の方法。
【請求項５】
前記システム情報メッセージの前記動的部分（５４）を、第２のスケジューリング・ユニットよりも高い頻度で第１のスケジューリング・ユニットが報知される複数のスケジューリング・ユニット（５８）に分割する工程と、
前記第１のスケジューリング・ユニットに前記第１のインジケータを含める工程と、
をさらに含むことを特徴とする請求項３に記載の方法。
【請求項６】
前記ユーザ機器（６０）へ前記第１のインジケータを送信する工程は、前記サービング・セルから前記ユーザ機器（６０）への専用メッセージにおいて前記第１のインジケータを送信する工程を含むことを特徴とする請求項１に記載の方法。
【請求項７】
前記サービング・セルと前記隣接セルとが同一の信号強度測定オフセットを用いることを示すために、前記ユーザ機器（６０）へ第２のインジケータを送信する工程をさらに含むことを特徴とする請求項１に記載の方法。
【請求項８】
前記ユーザ機器（６０）へ前記第１のインジケータを送信する工程は、前記ユーザ機器（６０）により監視される報知制御チャネルで前記第１のインジケータを送信する工程を含むことを特徴とする請求項１に記載の方法。
【請求項９】
前記ユーザ機器（６０）へ前記第１のインジケータを送信する工程は、媒体アクセス制御プロトコルのデータ・ユニットにおいて前記ユーザ機器（６０）へ前記第１のインジケータを送信する工程を含むことを特徴とする請求項１に記載の方法。
【請求項１０】
前記ユーザ機器（６０）へ前記第１のインジケータを送信する工程は、共有制御チャネルの制御メッセージにおいて前記ユーザ機器（６０）へ前記第１のインジケータを送信する工程を含むことを特徴とする請求項１に記載の方法。
【請求項１１】
無線通信ネットワーク（１０）におけるサービング基地局（２０）であって、
隣接セル内の隣接基地局（２０）がユーザ機器（６０）へ信号強度測定オフセットを送信するかどうかを判定するように構成されたコントローラ（２２）と、
前記隣接基地局が信号強度測定オフセットを送信するかどうかを示すために、前記サービング基地局（２０）から前記ユーザ機器（６０）へ第１のインジケータを送信するように構成された送受信器（２８）と、
を備えることを特徴とするサービング基地局（２０）。
【請求項１２】
前記送受信器（２８）は、固定部分（５２）と動的部分（５８）とを有するシステム情報メッセージ（５０）において前記ユーザ機器（６０）へ前記第１のインジケータを報知するように構成されることを特徴とする請求項１１に記載のサービング基地局（２０）。
【請求項１３】
前記コントローラ（２２）は、前記システム情報メッセージ（５０）の前記固定部分（５２）に前記第１のインジケータを含めるように構成されることを特徴とする請求項１２に記載のサービング基地局（２０）。
【請求項１４】
前記システム情報メッセージ（５０）の前記動的部分（５４）は、第２のスケジューリング・ユニットよりも高い頻度で第１のスケジューリング・ユニットが送信される複数のスケジューリング・ユニット（５８）を含み、
前記コントローラ（２２）は、前記第１のスケジューリング・ユニットに前記第１のインジケータを含めるように構成される
ことを特徴とする請求項１２に記載のサービング基地局（２０）。
【請求項１５】
前記送受信器（２８）は前記ユーザ機器（６０）のハンドオーバの間に前記ユーザ機器（６０）へ前記第１のインジケータを送信するように構成されることを特徴とする請求項１１に記載のサービング基地局（２０）。
【請求項１６】
前記送受信器（２８）は、前記サービング基地局（２０）と前記隣接基地局とが同一の信号強度測定オフセットを用いることを示すために、前記ユーザ機器（６０）へ第２のインジケータを送信するように構成されることを特徴とする請求項１１に記載のサービング基地局（２０）。
【請求項１７】
無線通信ネットワーク（１０）におけるモビリティを管理する方法であって、
隣接セル内の隣接基地局に信号強度測定オフセットが適用されることをサービング・セルから受信された第１のインジケータが示すかどうかを判定する工程と、
前記第１のインジケータに基づいて前記隣接基地局から信号強度測定オフセットを取得する工程と、
を含むことを特徴とする方法。
【請求項１８】
前記第１のインジケータに基づいて前記隣接基地局から信号強度測定オフセットを取得する工程は、
前記隣接基地局が信号強度測定オフセットを用いることを前記第１のインジケータが示す場合に、前記隣接基地局から前記信号強度オフセットを取得する工程と、
前記隣接基地局が信号強度測定オフセットを用いないことを前記第１のインジケータが示す場合に、前記隣接基地局から信号強度オフセットを取得することを省略する工程と、
を含むことを特徴とする請求項１７に記載の方法。
【請求項１９】
第１の信号強度測定オフセットを用いて前記サービング基地局（２０）に関する信号強度測定を実行する工程をさらに含み、
前記隣接基地局から前記信号強度オフセットを取得することを省略する工程は、前記サービング基地局（２０）から受信した第２のインジケータに基づいて前記隣接基地局に関する信号強度測定を実行するために、前記第１の信号強度測定オフセットを再使用する工程を含む
ことを特徴とする請求項１８に記載の方法。
【請求項２０】
アイドル・モードである間に前記第１のインジケータを受信する工程をさらに含むことを特徴とする請求項１７に記載の方法。
【請求項２１】
接続モードである間に前記第１のインジケータを受信する工程をさらに含むことを特徴とする請求項１７に記載の方法。
【請求項２２】
媒体アクセス制御プロトコルのデータ・ユニットにおいて前記第１のインジケータを受信する工程をさらに含むことを特徴とする請求項１７に記載の方法。
【請求項２３】
共有制御チャネルの制御メッセージにおいて前記第１のインジケータを受信する工程をさらに含むことを特徴とする請求項１７に記載の方法。
【請求項２４】
無線通信ネットワーク（１０）におけるユーザ機器（６０）であって、
隣接セル内の隣接基地局（２０）が信号強度測定オフセットを用いるかどうかを示す第１のインジケータをサービング基地局（２０）から受信するように構成された送受信器（６８）と、
前記第１のインジケータに基づいて前記隣接基地局から前記信号強度測定オフセットを取得するように構成されたコントローラ（６２）と、
を備えることを特徴とするユーザ機器（６０）。
【請求項２５】
前記コントローラ（６２）は、
前記隣接基地局が信号強度測定オフセットを用いることを前記第１のインジケータが示す場合に、前記隣接基地局から前記信号強度オフセットを取得するように構成されるとともに、
前記隣接基地局が信号強度測定オフセットを用いないことを前記第１のインジケータが示す場合に、前記隣接基地局から信号強度オフセットを取得することを省略するように構成される
を含むことを特徴とする請求項２４に記載のユーザ機器（６０）。
【請求項２６】
前記送受信器（６８）は、前記サービング基地局（２０）と前記隣接基地局とが同一の信号強度測定オフセットを用いることを示す第２のインジケータを前記サービング基地局（２０）から受信するように構成されることを特徴とする請求項２４に記載のユーザ機器（６０）。
【請求項２７】
前記コントローラ（６２）は、前記第２のインジケータに基づいて前記隣接基地局に関する信号強度測定を実行するために、前記同一の信号強度測定オフセットを用いるように構成されることを特徴とする請求項２６に記載のユーザ機器（６０）。
【請求項２８】
前記送受信器（６８）は、報知制御チャネルを通じて前記第１のインジケータを受信するように構成されることを特徴とする請求項２５に記載のユーザ機器（６０）。
【請求項２９】
前記送受信器（６８）は、前記サービング基地局（２０）からのシステム情報メッセージ（５０）において前記第１のインジケータを受信するように構成されることを特徴とする請求項２５に記載のユーザ機器（６０）。
【発明の詳細な説明】
【技術分野】
【０００１】
本発明は一般に無線通信ネットワークに関し、特に無線通信ネットワークにおける隣接セルのシステム情報メッセージの読み出しに関する。
【０００２】
本出願は、「隣接セルのシステム情報の読み出し」という名称の米国仮出願番号６０／９４４，２９３号に優先権を主張する。この仮出願は米国特許商標庁に２００７年６月１５日に出願され、その全体をここに参照して組み込む。
【背景技術】
【０００３】
無線通信ネットワークは複数のセルを備え、それぞれのセルは基地局（ＢＳ）によりカバーされる。大抵のネットワークでは、基地局は、移動局（ＭＳ）のような一つのユーザ機器がセル間を移動することを可能とするモビリティ管理機能を実行する。一般に、各セル内の各基地局は、一意なビーコン又はパイロット信号を送信する。移動局は、基地局を識別して各基地局からの信号強度を測定するために、これらの信号を用いる。その後に移動局はこの情報を基地局に送信する。この情報に基づいて、基地局は、所与の移動局との通信をサポートするためにどのセル又はセル群が用いられるべきかに関するモビリティを決定する。
【０００４】
典型的に、各セルは、移動局がネットワークを通じて移動する際に、移動局が新たなセルを識別することを助けるために隣接リストを送信する。これらの隣接リストはグローバル・システム・フォー・コミュニケーション（ＧＳＭ）ネットワーク及びユニバーサル・モバイル・テレコミュニケーション・システム（ＵＭＴＳ）ネットワークのようなネットワークに存在する。しかしながら、他の通信ネットワークは隣接リストを採用しないかもしれない。例として、第３世代パートナーシップ・プロジェクトＵＭＴＳロングターム・エボリューション（３ＧＰＰ  ＬＴＥ）ネットワークとも呼ばれる発展型ＵＭＴＳ地上波無線アクセス・ネットワーク（Ｅ−ＵＴＲＡＮ）は、隣接リストの使用をオプションとしている。従って、この種のネットワークは、隣接リストを用いずにセルを検出するために、移動局の能力に頼る必要があるかもしれない。これを達成するための様々な方法が存在する。
【０００５】
例えばＬＴＥネットワークでは、無線多重化方式は直交周波数分割多重方式（ＯＦＤＭ）に基づく。「リユース・ワン（Re-Use One）」システムである発展型ＵＭＴＳ地上波無線アクセス・ネットワーク（Ｅ−ＵＴＲＡＮ）は同様のアプローチを採用する。リユース・ワン・システムとは、ネットワーク内の各セルが自身の隣接セルと同一の周波数（例えばＯＦＤＭにおける同一セットのサブキャリア）を用いるシステムである。これは、ＬＴＥネットワークにおいて、移動局が所与の隣接セルにより送信された信号を、別のセル内に位置する間に読み出せる／受信できるだろうことを意味する。しかしながら、現在のセルからの干渉は強いかもしれない。
【０００６】
例えばＵＴＲＡＮネットワークにおける移動局ベースのモビリティでは、移動局は、移動局の現在のセルから受信したシステム情報メッセージから隣接リストを読み出すだろう。別のセルが自身の現在のセルよりもよいことを（例えば標準規格で規定された特定の基準に基づいて及びシステム情報メッセージに関して同様に送信されたパラメータによって）移動局が検出した場合に、そのセルが隣接リスト内で隣接セルとして規定されているときは、移動局は新たなセルを選択するだろう。移動局がどの無線リソース制御（ＲＲＣ）状態であるかに依存して、移動局が新たなセル又は状態に移ったことを示すために、移動局は更新メッセージをネットワークに送信するかもしれない。移動局がＲＲＣのアイドル状態である場合に、移動局は、無線アクセス・ネットワーク（ＲＡＮ）に新たな位置を示すメッセージを何も送信しないだろう。
【０００７】
ネットワーク制御のモビリティについて、移動局は通常、専用メッセージでネットワークから隣接セル・リストを入手する。ネットワークから送信されたパラメータによるだけでなく、標準規格により規定された状態又は基準に基づいて、移動局が隣接セルを検出するごとに、移動局はネットワークへ伝送に関する測定報告を始動する。ネットワークは、移動局が新たなセルへハンドオフされるべきかどうかを判定するために、測定報告の内容を用いるだろう。ハンドオフされるべき場合に、新たなセルへ接続することを命じるハンドオーバ・メッセージが移動局に送信される。ハンドオーバの後に、ネットワークは通常、この新たなセルの隣接基地局の識別子を反映するために、移動局の隣接リストを更新する。
【０００８】
隣接セルには主に三つのカテゴリーがある。イントラ周波数の隣接セル（すなわち、隣接セルの中心周波数が移動局の受信帯域内にある場合）、インター周波数の隣接セル（すなわち、隣接セルの中心周波数が移動局の受信帯域外にある場合）及びインターＲＡＴの隣接セル（すなわち、隣接セルが現在のサービング・セルで採用されるアクセス技術とは異なるアクセス技術を用いる場合）がある。
【０００９】
Ｅ−ＵＴＲＡＮがリユース・ワン・システムであるという事実は、ＧＳＭ通信ネットワークで行われているような隣接リストを明示的な隣接セルでリストにすることの必要性を減らす。例えば、移動局は、特に現在の周波数に対して好ましい無線状況を有する隣接セルからの強い信号を検出するだろう。その後に、これらのセルの基地局はハンドオーバ又はセル再選択の候補となるだろう。
【００１０】
従って、Ｅ−ＵＴＲＡＮネットワークは移動局ベースのモビリティとネットワーク制御のモビリティとの両方について移動局に頼る。特に、これらのネットワークは、隣接セルの集合を検出するために、移動局に頼る。既存の技術はまた、再選択又は所定のセルへのハンドオーバを実行する際に、移動局が特定のパラメータ設定を適用することを可能にする。ＧＳＭネットワーク及びＵＭＴＳネットワークでは、移動局によって用いられるパラメータは隣接リストの一部として含まれる。
【００１１】
Ｅ−ＵＴＲＡネットワークについて必要となるパラメータは隣接リストに含まれるものと同様である。よって、移動局ベースのモビリティについて、パラメータは、現在のセルのシステム情報メッセージの一部としてオプションである隣接リストのブロードキャストに含まれるかもしれない。ネットワーク制御のモビリティについて、パラメータは専用測定構成メッセージに含まれるかもしれない。または、各セルは自身の特定のパラメータをブロードキャストするかもしれない。その後に、移動局は隣接セルへのハンドオーバを達成するために必要となる任意の特定のパラメータを取得するために、このセルのシステム情報メッセージを読み出す。
【発明の概要】
【発明が解決しようとする課題】
【００１２】
本発明は、隣接セル内の基地局の信号強度を測定する際に、使用するために特定のオフセットが適用されるかどうかに関して、移動局（ＭＳ）のようなユーザ機器（ＵＥ）へ表示を提供する。さらに、本発明は、隣接セルがオフセットを用いる場合に、隣接セルのオフセットが現在のサービング・セルのオフセットと同一であるかどうかに関する表示を提供してもよい。
【課題を解決するための手段】
【００１３】
一つの実施形態では、無線通信ネットワークのサービング・セル内の基地局は、コントローラと送受信器とを備える。コントローラは、隣接セル内の基地局が信号強度測定オフセットをＭＳに送信するかどうかを判定する。この判定に基づいて、送受信器は、隣接基地局の信号強度を測定する際に、使用するために特定のオフセットが適用されるかどうかを示すために、第１のインジケータをＭＳへ送信する。いくつかの実施形態では、コントローラはまた、隣接セルにおいて用いられるオフセットがサービング・セルにおいて用いられるオフセットと同一であるかどうかを判定してもよい。同一である場合に、送受信器は、二つのオフセットが同一であることを示す第２のインジケータをＭＳに送信してもよい。
【００１４】
ＭＳはまた、コントローラと送受信器とを備える。ＭＳの送受信器は、第１及び第２のインジケータが送信される場合に、これらをサービング基地局から受信する。隣接セルに対して信号強度測定オフセットが適用されることを第１のインジケータが示す場合に、ＭＳのコントローラは隣接基地局から信号強度測定オフセットを取得するだろう。そうではない場合に、ＭＳのコントローラは、隣接基地局から信号強度測定オフセットを受信することを省略するだろう。サービング・セルと隣接セルとの両方に対して同一のオフセットが適用されることを第２のインジケータが示す場合に、ＭＳは、隣接セルにおける信号強度測定を実行するために、サービング・セルのために取得されたオフセットを再使用するだろう。
【図面の簡単な説明】
【００１５】
【図１】本発明の一つの実施形態における使用に適した無線通信ネットワークのいくつかの構成要素を説明する図である。
【図２】本発明の一つの実施形態によって動作するように構成された基地局のいくつかの構成要素を説明するブロック図である。
【図３】基地局に本発明の機能を実行させてもよい本発明の一つの実施形態による方法を説明するフローチャートである。
【図４】本発明の一つの実施形態によるＵＥによって受信されたインジケータを運ぶように構成された例示的なシステム情報メッセージを説明する図である。
【図５】本発明の一つの実施形態に従って構成されたＵＥのいくつかの構成部分を説明するブロック図である。
【図６】ＵＥに本発明の機能を実行させてもよい本発明の一つの実施形態による方法を説明するフローチャートである。
【発明を実施するための形態】
【００１６】
本発明の一つの実施形態では、サービング・セル内の基地局は、移動局（ＭＳ）のようなユーザ機器（ＵＥ）に、特定の信号強度測定オフセットが隣接セル内の基地局に適用される（apply）かどうかを示す。さらに、隣接セルがオフセットを用いる場合に、サービング基地局は、隣接セルのオフセットがサービング・セルのオフセットと同一であるかどうかの表示を提供してもよい。
【００１７】
隣接セルの信号強度測定にオフセットが適用されるか否かについての表示を提供することによって、ＭＳは隣接セルの情報を不必要に獲得することを回避できるようになる。このようなインジケータが存在しないと、現在のセル内のＭＳは、測定オフセットを隣接セルに対して用いるべきかどうかを判定するために、各隣接セルにおける報知チャネル（ＢＣＨ）又は他の情報伝播チャネルを取得しなければならない。この機能を実行することにより、ＭＳが自身のリソースを不必要に浪費することになるかもしれない。本発明のインジケータを用いて、現在のセルは、オフセットがいかなる隣接セルにも適用されないことを示すことができる。さらに、現在のセルは、現在のセルで採用されるのと同一のオフセットを一つ以上の隣接セルが採用することを示すことができる。よって、ＭＳは、隣接セルの情報の読み出しに浪費されていたであろう時間及び電力を浪費する必要がなくなる。言い換えると、特定のオフセットが隣接セルに適用されるか否かを示すことにより、ＭＳは隣接セルの報知チャネルを不必要に読み出すことを回避できるようになる。
【００１８】
図１は本発明の一つの実施形態で用いるのに適した無線通信ネットワークの概観を説明する。ネットワークは当該技術分野で知られているいかなる通信ネットワークであってもよいものの、図１に示されるネットワークはＬＴＥ無線アクセス・ネットワーク（ＲＡＮ）１０を備える。ＬＴＥ  ＲＡＮ１０のアーキテクチャは当該分野ではよく知られているため、本明細書では詳細に説明されない。しかしながら、ＬＴＥ  ＲＡＮ１０及びそのノードの簡潔な説明が明確化のために本明細書に含まれる。
【００１９】
ＬＴＥ  ＲＡＮ１０は１種類のノードだけ、すなわちｅノードＢとも呼ばれる基地局（ＢＳ）２０だけを採用する。各ＢＳ２０は、一つ以上のセル１２内の一つ以上の移動局（ＭＳ）６０にサービスを提供する。動作中、各ＢＳ２０はＭＳ６０との通信に必要とされる一般的な物理層機能を実行する。このような機能は、符号化／復号、変調／復調、インターリービング／デインターリービングを含むがこれに限定されない。さらに一部の場合に、ＢＳ２０は従来の無線ネットワーク制御装置（ＲＮＣ）の機能を実行してもよく、これによって、ハンドオーバの決定、無線リソースの割り当て、並びに上りリンク及び下りリンクの両方の通信のためのスケジューリング決定に影響を与えてもよい。
【００２０】
図２は本発明の一つの実施形態に従って動作するように構成されたＢＳ２０のいくつかの構成要素を説明する。図２にみられるように、ＢＳ２０は、コントローラ２２、メモリ２４、通信インタフェース２６、及びアンテナに接続された送受信器２８を備える。一つ以上のマイクロプロセッサを備えてもよいコントローラ２２は、メモリ２４に記憶された命令及びデータに従ってＢＳ２０の動作を制御する。インタフェース２６は、ＢＳ２０とコア・ネットワークとの間のユーザ・トラフィック及びシグナリング・データとの両方を運ぶＩＰベースのＳ１インタフェース（不図示）を介してＢＳ２０がコア・ネットワーク（不図示）と通信することを可能とし、Ｘ２インタフェースを介してＢＳ２０が隣接基地局と通信するを可能とする。一般に、Ｘ２はアクティブ・モードのモビリティをサポートするためのシグナリング・データを運ぶものの、セル１２間の無線リソース管理機能をサポートするためのシグナリング並びに動作及び管理（Ｏ＆Ｍ）データを伝えてもよい。送受信器２８は、ＭＳ６０とサービングＢＳ２０との間のアンテナを介する無線通信を支援する。
【００２１】
（例えば現在のセル及び一つ以上の隣接セルについて）信号強度測定を実行するために、ＭＳ６０は、隣接セル１２内のＢＳ２０により用いられる任意の信号強度測定オフセットを取得するために、これらの隣接ＢＳ２０により報知された情報を読み出す必要があるだろう。一般に、隣接ＢＳ２０は自身の信号強度測定オフセットを自身の報知制御チャネル（ＢＣＨ）を通じてＭＳ６０に４０ｍｓ毎に報知する。受信すると、ＭＳ６０はＢＳ２０の信号強度測定を実行するためにオフセットを用いる。その後にＭＳ６０はこれらの測定に基づいて測定するセルをランク付けして、この情報をハンドオーバ機能のために用いるだろう。
【００２２】
種々のネットワーク・セル１２のそれぞれについて信号強度測定オフセットを取得することにより、遅延を生成し得る。特に、ＭＳ６０は隣接セルのそれぞれからオフセット情報を取得し読み出さなければならないかもしれない。従って、本発明は、信号強度測定オフセットが隣接セル１２内のＢＳ２０に適用されるかどうかについての表示をＭＳ６０に提供する。特に、サービングＢＳ２０のコントローラ２２は、個別の信号強度測定オフセットが隣接ＢＳ２０に適用されるかどうかを示すためのインジケータを生成してＭＳ６０に送信する。適用される場合に、コントローラ２２はまた、これらのオフセットがＭＳ６０の現在のセルのためのオフセットと同一であるかどうかを示すインジケータを生成して送信してもよい。このようなインジケータをＭＳ６０に提供することによって、測定オフセットが隣接セル１２に用いられるべきかどうかを判定するために、ＭＳ６０がこのセルの報知チャネルを読み出す必要を回避できる。。
【００２３】
図３は本発明の一つの実施形態によるＭＳ６０への表示を生成して送信する方法３０を説明するフローチャートである。現在ＭＳ６０にサービスを提供するＢＳ２０が方法３０を実行してもよい。
【００２４】
方法３０は、隣接セル１２内の所与の隣接ＢＳ２０が信号強度測定オフセットを用いるかどうかをコントローラ２２が判定すること（ボックス３２）から始まる。この情報は例えばＸ２インタフェースを介してサービングＢＳ２０と隣接ＢＳ２０との間で共有されてもよい。隣接ＢＳ２０がオフセットを用いない場合に、サービングＢＳ２０におけるコントローラ２２は、隣接ＢＳ２０がオフセットを採用しないことを示す第１のインジケータを生成してもよく（ボックス３４）、送受信器２８を介してこのインジケータをＭＳ６０に送信してもよい（ボックス４２）。隣接ＢＳ２０がオフセットを用いる場合に、コントローラ２２は、隣接ＢＳ２０がオフセットを採用することを示す第１のインジケータを生成するだろう（ボックス３６）。いくつかの実施形態では、サービングＢＳ２０内のコントローラ２２はまた、サービングＢＳ２０が用いているのと同一のオフセットが隣接ＢＳ２０により用いられているかどうかを判定してもよい（ボックス３８）。用いられていない場合に、コントローラは第１のインジケータだけをＭＳ６０に送信してもよい。用いられている場合に、コントローラ２２は、オフセットが同一であることを示す第２のインジケータを生成して、送受信器２８を介してＭＳ６０にこれを送信してもよい（ボックス４２）。
【００２５】
ＭＳ６０へインジケータを送信することは、当該技術分野で知られている任意の手段を用いて達成されてもよい。しかしながら、図４にみられる一つの実施形態では、サービングＢＳ２０は、ＭＳ６０への報知されるシステム情報メッセージ５０と一緒にインジケータを送信する。特に、システム情報メッセージ５０は二つの部分すなわち固定部分５２と動的部分５４とに分割される。システム情報メッセージ５０の固定部分５０は事前に決定された方法で送信される。ＬＴＥ  ＲＡＮ１０のようなＬＴＥネットワークでは、固定部分５２はＢＣＨトランスポート・チャネルに対応する。
【００２６】
報知情報は、ＭＳ６０へ通常は送信される任意の情報を含んでもよいが、この実施形態では、固定部分５２は、コントローラ２２により生成されたインジケータの一方又は両方を運ぶスロット５６をも含む。よって、本発明に従って構成されたサービングＢＳ２０は、任意のオフセットが用いられる場合に、自身の隣接ＢＳ２０についての信号強度測定オフセットに関する情報を運んでもよい。さらに、サービングＢＳ２０は、隣接ＢＳ２０の信号強度を測定する際にＭＳ６０により用いられるべき個別オフセットを識別してもよい。従って、いかなる隣接セル１２にもオフセットが適用されない場合に、信号強度測定の実行の一部としてＭＳ６０が隣接セルの報知情報を読み出す必要はない。
【００２７】
別の実施形態では、ＢＳ２０はシステム情報メッセージ５０の動的部分５４にインジケータを含める。システム情報メッセージ５０の動的部分５４は、下りリンク共有チャネル（ＤＬ−ＳＣＨ）を用いて送信されると想定される。送信は通常のデータ送信に類似し、略一定間隔で繰り返される。しかしながら、システム情報メッセージ５０の動的部分５４で送信される情報の一部はタイム・クリティカルであってもよく、動的部分５４の情報の他の部分がそうでなくてもよい。このようなものとして、タイム・クリティカルな情報ほどシステム情報メッセージ５０内で高い頻度で繰り返されてもよい。本発明の一つの実施形態によれば、インジケータは、よりタイム・クリティカルな情報で送信されてもよい。
【００２８】
これを達成するために、システム情報メッセージ５０の動的部分５４は複数のスケジューリング・ユニット５８に分割され、スケジューリング・ユニット５８は図４において５８ａ−５８ｆの符号が付される。一般に、第１のスケジューリング・ユニットｎに対応する情報は、よりタイム・クリティカルであり、第２のスケジューリング・ユニットｎ＋１に対応する情報よりも高い頻度で繰り返されるべきである。例として、スケジューリング・ユニット５８ａは、およそ８０ｍｓごとに一度繰り返されてもよく、隣接セル１２の制御チャネルにキャンプするためにＭＳ６０が読み出す必要があるだろう情報を含んでもよい。しかしながら、スケジューリング・ユニット５８ｂ−ｆは、８０ｍｓよりも長い間隔で送信されてもよいだろうし、スケジューリング・ユニット５８ａ内の情報ほどはタイム・クリティカルでない情報を含んでもよいだろう。従って、本発明の一つの実施形態では、隣接ＢＳ２０が信号測定オフセットを用いるかどうかを示すインジケータをスケジューリング・ユニット５８ａに含めてもよいし、信号測定オフセットを用いる場合にオフセットが現在のＢＳ２０により用いられるオフセットと同一であるかどうかを示すインジケータを含めてもよい。
【００２９】
第１及び第２のインジケータは例えば１ビット・フラグを含んでもよく、又は複数のビットを含んでもよい。複数のビットが用いられる場合に、第１及び第２のインジケータは、様々な値を有する一つのインジケータであるとみなされてもよい。例えば２ビットを有するインジケータについて、値「０」（すなわち、００）は所与の隣接ＢＳ２０がオフセットを用いないことを示してもよいだろう。値「１」（すなわち、０１）は、隣接ＢＳがオフセットを用いており、よって、ＭＳ６０が隣接セルのＢＣＨを読み出す必要があるだろうことを示してもよいだろう。値「２」（すなわち、１０）は、隣接ＢＳ２０が現在のセル１２と同一のオフセットを用いており、従ってＭＳ６０は情報を取得するために隣接セルのＢＣＨにアクセスする必要がないことを示してもよいだろう。他の値及び方式も可能である。
【００３０】
図５は、本発明の一つの実施形態に係るインジケータを受信するように構成された例示的なＭＳ６０のいくつかの構成要素を説明する。インジケータを受信すると、ＭＳ６０は、信号測定オフセットを取得するための一つ以上の隣接ＢＳ２０のＢＣＨの読み出しを省略してもよい。
【００３１】
図５にみられるように、ＭＳ６０は、コントローラ６２、メモリ６４、ユーザ・インタフェース６６、及びアンテナに接続された送受信器６８を備える。コントローラ６２は、メモリ６４に記憶されたプログラム命令及びデータに従ってＭＳ６０の動作を制御する一つ以上のマイクロプロセッサを備える。制御機能は、必要又は所望によって、一つのマイクロプロセッサ又は複数のマルチプロセッサで実装されてもよい。メモリ６４はランダムアクセスメモリ（ＲＡＭ）及びリードオンリメモリ（ＲＯＭ）の両方を含んでもよい。ＭＳ６０の動作に必要な実行形式のプログラム命令及びデータは、ＥＰＲＯＭ、ＥＥＰＲＯＭ、及びフラッシュメモリの少なくともいずれかのような不揮発性メモリに記憶され、例えば個別素子又は積層素子として実装されてもよい。ユーザ・インタフェース６６は、ユーザにＭＳ６０との相互作用を可能とするために、キーパッド、ディスプレイ、及び種々のボタン又は他の制御機器とを備えてもよい。送受信器６８は、ＬＴＥ  ＲＡＮ１０内のＢＳ２０へデータを送信し及びＢＳ２０からデータを受信するように機能する。
【００３２】
図６は、本発明の一つの実施形態に係る、隣接ＢＳ２０に対する信号強度測定オフセット情報の取得をＭＳ６０に省略させてもよい方法７０を説明する。方法７０は、ＭＳ６０がサービングＢＳ２０から信号を受信する場合に始まる（ボックス７２）。前述のように、受信信号は、隣接ＢＳ２０が信号強度測定オフセットを採用するかどうかを示す一つ以上のインジケータを含んでもよい。隣接ＢＳ２０がオフセットを用いないことを第１のインジケータが示す場合（ボックス７４）に、ＭＳ６０は隣接ＢＳ２０のＢＣＨの読み出しを省略するだろうし（ボックス７６）、最も直近の隣接リスト内に取得された情報を用いて信号強度測定を実行する。隣接ＢＳ２０がオフセットを用いない場合に（ボックス７４）、ＭＳ６０は、隣接ＢＳ２０とサービングＢＳ２０とが同一のオフセットを用いるかどうかを、受信した第２のインジケータに基づいて判定するだろう（ボックス７８）。二つのＢＳ２０が同一のオフセットを用いる場合に、ＭＳ６０は隣接ＢＳ２０からの信号強度測定の取得を省略するだろうし、その代わりに、信号強度測定を実行するために、サービングＢＳ２０により採用されたオフセットを用いるだろう（ボックス８２）。同一のオフセットを用いない場合に、ＭＳ６０はオフセットを取得するために隣接ＢＳ２０のＢＣＨを取得するだろうし（ボックス８０）、取得したオフセットを用いて信号強度測定を実行するだろう（ボックス８２）。
【００３３】
ＭＳ６０は、アイドル・モード又は接続モードで動作している間にインジケータを受信してもよい。アイドル・モードであるＭＳ６０は、ＭＳ６０が現在キャンプしているセル１２のＢＳ２０からシステム情報メッセージ５０を受信してもよい。図６にみられるように、サービングＢＳ２０が、どの隣接セルにおいてもオフセットが報知されないというインジケータをシステム情報メッセージ５０に含めれば十分である。ＭＳ６０にこのような表示を提供することによって、ＭＳ６０は、隣接セルのＢＳ２０に関する信号強度測定を実行するためにこれらのセルの報知情報を読み出す必要がないと判定することができる。上述のように、アイドル状態のＭＳ６０に対するインジケータは、システム情報メッセージの固定部分５２に含まれてもよいし、システム情報メッセージの動的部分５４のスケジューリング・ユニット５８に含まれてもよい。
【００３４】
接続モードで動作するＭＳ６０について、ＭＳ６０は専用シグナリングを介してインジケータを受信することができる。例えば、現在のセル内での測定を構成する際に、サービングＢＳ２０によりＭＳ６０にインジケータが提供され得る。すなわち、新たなセル１２への各ハンドオーバに関して、接続モードで動作するＭＳ６０は、以前のセルで用いられた測定設定を再使用してもよいし、専用シグナリングを介してＬＴＥ  ＲＡＮ１０から新たな測定設定を受信してもよい。測定の設定は例えば無線リソース制御（ＲＲＣ）シグナリングにより達成されてもよい。
【００３５】
当業者は、上述したものと同様に、他の方法でＭＳ６０にインジケータが送信されてもよいことが容易に理解できるだろう。別の実施形態では、例えば、サービングＢＳ２０は報知チャネルを通じてＭＳ６０にインジケータを報知する。このアプローチは、接続モードにある間に、サービング・セルの１２のＢＣＨを読み出すことをＭＳに要求するが、専用シグナリングに比べてシグナリング・オーバヘッドの量を減らすことができる。
【００３６】
別の実施形態では、サービングＢＳ２０は、媒体アクセス制御（ＭＡＣ）制御層内の中央ＰＤＵ内のＭＳ６０にインジケータを提供する。特に、サービングＢＳ２０はＭＳＣ制御ＰＤＵのヘッダ内の情報としてＭＳ６０にインジケータを提供してもよい。ＭＳＣ制御ＰＤＵはＲＲＣシグナリングよりも少ないオーバヘッドを有するが、ＲＲＣ層とＭＡＣ層との間の厳密な相互動作を要求する。
【００３７】
別の実施形態では、サービングＢＳ２０は、ＳＣＣＨフィールドの特別な値を用いることによって、Ｌ１／２共有制御チャネル（ＳＣＣＨ）でインジケータを提供する。インジケータを提供するこの方法は、シグナリング・オーバヘッドの点で非常に効率的であるが、ＳＣＣＨにより用いられるシグナリングは信頼性が低いかもしれない。
【００３８】
別の実施形態では、サービングＢＳ２０は専用シグナリングを介してＭＳ６０にインジケータを提供する。この実施形態では、ＢＳ２０は、ＭＳ６０により受信されるインジケータを接続モードで測定を実行する間に送信してもよい。
【００３９】
もちろん本発明は、本発明の不可欠な特徴から逸脱することなく、明細書で具体的に説明されたものとは異なる方法で実行されてもよい。本実施形態は、すべての観点で例示的であり限定的ではないとみなされるべきであり、添付の請求の範囲の文言及び均等の範囲にあるすべての変形が本明細書に包含されることが意図される。
【図１】
2010531092.tif 000003
【図２】
2010531092.tif 000004
【図３】
2010531092.tif 000005
【図４】
2010531092.tif 000006
【図５】
2010531092.tif 000007
【図６】
2010531092.tif 000008
【手続補正書】
【提出日】平成22年1月26日(2010.1.26)
【手続補正１】
【補正対象書類名】特許請求の範囲
【補正対象項目名】全文
【補正方法】変更
【補正の内容】
【特許請求の範囲】
【請求項１】
無線通信ネットワークにおけるモビリティを管理する方法であって、
サービング・セルにおいて、隣接セル内の隣接基地局（２０）が信号強度測定オフセットを送信するかどうかを判定する工程と、
前記隣接セルが信号強度測定オフセットを送信するかどうかを示すために、前記サービング・セルからユーザ機器（６０）へ第１のインジケータを送信する工程と、
を含むことを特徴とする方法。
【請求項２】
前記第１のインジケータは、前記隣接セルが信号強度測定オフセットを報知しないことを示すことを特徴とする請求項１に記載の方法。
【請求項３】
前記ユーザ機器（６０）へ前記第１のインジケータを送信する工程は、固定部分（５２）と動的部分（５４）とを有するシステム情報メッセージ（５０）において前記第１のインジケータを報知する工程を含むことを特徴とする請求項１に記載の方法。
【請求項４】
前記システム情報メッセージ（５０）の前記固定部分（５２）に前記第１のインジケータを含める工程をさらに含むことを特徴とする請求項３に記載の方法。
【請求項５】
前記システム情報メッセージの前記動的部分（５４）を、第２のスケジューリング・ユニットよりも高い頻度で第１のスケジューリング・ユニットが報知される複数のスケジューリング・ユニット（５８）に分割する工程と、
前記第１のスケジューリング・ユニットに前記第１のインジケータを含める工程と、
をさらに含むことを特徴とする請求項３に記載の方法。
【請求項６】
前記ユーザ機器（６０）へ前記第１のインジケータを送信する工程は、前記サービング・セルから前記ユーザ機器（６０）への専用メッセージにおいて前記第１のインジケータを送信する工程を含むことを特徴とする請求項１に記載の方法。
【請求項７】
前記サービング・セルと前記隣接セルとが同一の信号強度測定オフセットを用いることを示すために、前記ユーザ機器（６０）へ第２のインジケータを送信する工程をさらに含むことを特徴とする請求項１に記載の方法。
【請求項８】
前記ユーザ機器（６０）へ前記第１のインジケータを送信する工程は、前記ユーザ機器（６０）により監視される報知制御チャネルで前記第１のインジケータを送信する工程と、媒体アクセス制御プロトコルのデータ・ユニットにおいて前記ユーザ機器（６０）へ前記第１のインジケータを送信する工程と、共有制御チャネルの制御メッセージにおいて前記ユーザ機器（６０）へ前記第１のインジケータを送信する工程と、のうちの一つを含むことを特徴とする請求項１に記載の方法。
【請求項９】
無線通信ネットワーク（１０）におけるサービング基地局（２０）であって、
隣接セル内の隣接基地局（２０）がユーザ機器（６０）へ信号強度測定オフセットを送信するかどうかを判定するように構成されたコントローラ（２２）と、
前記隣接基地局が信号強度測定オフセットを送信するかどうかを示すために、前記サービング基地局（２０）から前記ユーザ機器（６０）へ第１のインジケータを送信するように構成された送受信器（２８）と、
を備えることを特徴とするサービング基地局（２０）。
【請求項１０】
前記送受信器（２８）は、固定部分（５２）と動的部分（５４）とを有するシステム情報メッセージ（５０）において前記ユーザ機器（６０）へ前記第１のインジケータを報知するように構成されることを特徴とする請求項９に記載のサービング基地局（２０）。
【請求項１１】
前記コントローラ（２２）は、前記システム情報メッセージ（５０）の前記固定部分（５２）に前記第１のインジケータを含めるように構成されることを特徴とする請求項１０に記載のサービング基地局（２０）。
【請求項１２】
前記システム情報メッセージ（５０）の前記動的部分（５４）は、第２のスケジューリング・ユニットよりも高い頻度で第１のスケジューリング・ユニットが送信される複数のスケジューリング・ユニット（５８）を含み、
前記コントローラ（２２）は、前記第１のスケジューリング・ユニットに前記第１のインジケータを含めるように構成される
ことを特徴とする請求項１０に記載のサービング基地局（２０）。
【請求項１３】
前記送受信器（２８）は前記ユーザ機器（６０）のハンドオーバの間に前記ユーザ機器（６０）へ前記第１のインジケータを送信するように構成されることを特徴とする請求項９に記載のサービング基地局（２０）。
【請求項１４】
前記送受信器（２８）は、前記サービング基地局（２０）と前記隣接基地局とが同一の信号強度測定オフセットを用いることを示すために、前記ユーザ機器（６０）へ第２のインジケータを送信するように構成されることを特徴とする請求項９に記載のサービング基地局（２０）。
【請求項１５】
無線通信ネットワーク（１０）におけるモビリティを管理する方法であって、
隣接セル内の隣接基地局に信号強度測定オフセットが適用されることをサービング・セルから受信された第１のインジケータが示すかどうかを判定する工程と、
前記第１のインジケータに基づいて前記隣接基地局から信号強度測定オフセットを取得する工程と、
を含むことを特徴とする方法。
【請求項１６】
前記第１のインジケータに基づいて前記隣接基地局から信号強度測定オフセットを取得する工程は、
前記隣接基地局が信号強度測定オフセットを用いることを前記第１のインジケータが示す場合に、前記隣接基地局から前記信号強度オフセットを取得する工程と、
前記隣接基地局が信号強度測定オフセットを用いないことを前記第１のインジケータが示す場合に、前記隣接基地局から信号強度オフセットを取得することを省略する工程と、
を含むことを特徴とする請求項１５に記載の方法。
【請求項１７】
第１の信号強度測定オフセットを用いて前記サービング基地局（２０）に関する信号強度測定を実行する工程をさらに含み、
前記隣接基地局から前記信号強度オフセットを取得することを省略する工程は、前記サービング基地局（２０）から受信した第２のインジケータに基づいて前記隣接基地局に関する信号強度測定を実行するために、前記第１の信号強度測定オフセットを再使用する工程を含む
ことを特徴とする請求項１６に記載の方法。
【請求項１８】
アイドル・モードである間に前記第１のインジケータを受信する工程と、接続モードである間に前記第１のインジケータを受信する工程と、媒体アクセス制御プロトコルのデータ・ユニットにおいて前記第１のインジケータを受信する工程と、共有制御チャネルの制御メッセージにおいて前記第１のインジケータを受信する工程と、のうちの一つをさらに含むことを特徴とする請求項１５に記載の方法。
【請求項１９】
無線通信ネットワーク（１０）におけるユーザ機器（６０）であって、
隣接セル内の隣接基地局（２０）が信号強度測定オフセットを用いるかどうかを示す第１のインジケータをサービング基地局（２０）から受信するように構成された送受信器（６８）と、
前記第１のインジケータに基づいて前記隣接基地局から前記信号強度測定オフセットを取得するように構成されたコントローラ（６２）と、
を備えることを特徴とするユーザ機器（６０）。
【請求項２０】
前記コントローラ（６２）は、
前記隣接基地局が信号強度測定オフセットを用いることを前記第１のインジケータが示す場合に、前記隣接基地局から前記信号強度オフセットを取得するように構成されるとともに、
前記隣接基地局が信号強度測定オフセットを用いないことを前記第１のインジケータが示す場合に、前記隣接基地局から信号強度オフセットを取得することを省略するように構成される
を含むことを特徴とする請求項１９に記載のユーザ機器（６０）。
【請求項２１】
前記送受信器（６８）は、前記サービング基地局（２０）と前記隣接基地局とが同一の信号強度測定オフセットを用いることを示す第２のインジケータを前記サービング基地局（２０）から受信するように構成されることを特徴とする請求項１９に記載のユーザ機器（６０）。
【請求項２２】
前記コントローラ（６２）は、前記第２のインジケータに基づいて前記隣接基地局に関する信号強度測定を実行するために、前記同一の信号強度測定オフセットを用いるように構成されることを特徴とする請求項２１に記載のユーザ機器（６０）。
【請求項２３】
前記送受信器（６８）は、報知制御チャネルを通じて前記第１のインジケータを受信するように構成されるか又は前記サービング基地局（２０）からのシステム情報メッセージ（５０）において前記第１のインジケータを受信するように構成されることを特徴とする請求項１９に記載のユーザ機器（６０）。
【国際調査報告】
2010531092.tif 000009
2010531092.tif 000010
2010531092.tif 000011
2010531092.tif 000012